(57)【要約】 【課題】  本発明は、サーフボードのフィンの取り付け構造に関し、より具体的にはサーフボードへ着脱自在にフィンを取り付けることのできる取り付け構造であって、簡単なる着脱を行えるがきっちりとした装着ができ、フィンのブレやがたつきのない装着を可能とするサーフボードのフィンの取り付け構造の提供を課題とする。【解決手段】  空洞部の両側面にはピン用挿入凹み部とこれに続いて、空洞部の深さ方向に続く溝部と、更に該溝部は一定の深さからフィンボックスの長さ方向であってボードの進行方向の後方方向に延在する溝部を有し、フィンの取り付け基部にはその両側にピン用挿入凹み部に対応したピンを有し、ピンとピン用挿入凹み部とを合わせて取り付け基部を挿入し、挿入後にフィンをボードの進行方向の後方方向に移動して装着するサーフボードのフィン取り付け構造である。【選択図】    図７
2013121583.tif 000002
【特許請求の範囲】
【請求項１】
フィン１に設けた取り付け基部１０をフィンボックス４の空洞部４１に挿入してボードにフィンを取り付けるサーフボードのフィン取り付け構造であって、
フィンボックス４の空洞部４１はフィン１の取り付け基部１０とほぼ同等かやや広い幅を有し、空洞部４１の長さ方向の長さはフィン１の取り付け基部１０よりも長いものであり、空洞部４１の深さは取り付け基部１０の突出長さよりも長い深さを有し、
該空洞部４１の両側面にはピン用挿入凹み部４３とこれに続いて、空洞部４１の深さ方向に続く溝部４４と、更に該溝部４４は一定の深さからフィンボックス４の長さ方向であってボードの後方方向に延在する溝部４４を有し、
フィン１の取り付け基部１０にはその両側にピン用挿入凹み部４３に対応したピン２を有するものであり、
該フィン１の取り付け基部１０をフィンボックス４の空洞部４１に挿入する際にフィン１のピン２とフィンボックス４の空洞部４１のピン用挿入凹み部４３とを合わせてフィン１の取り付け基部１０を挿入し、挿入後にフィン１をボードの後方方向に移動することによりフィンを着脱自在に取り付けるサーフボードのフィン取り付け構造
【請求項２】
フィン１の取り付け基部１０の両側に設けたピン２が各々取り付け基部１０の前後方向に離れた位置に有し、
フィンボックス４の空洞部４１のピン用挿入凹み部４３も、フィンボックス４の両側面の前後方向に離れた位置に有し、それぞれ両側のピン用挿入凹み部４３と両側のピン２とはお互いに対応した位置に有するものであることを特徴とする請求項１記載のサーフボードのフィン取り付け構造。
【請求項３】
フィン１の取り付け基部１０の側面にプランジャ３を有し、空洞部４１への取り付け基部１０の挿入時に取り付け基部１０と空洞部４１間の側面とを付勢するものであることを特徴とする請求項１又は２のいずれかに記載のサーフボードのフィン取り付け構造。
【請求項４】
フィン１の取り付け基部１０をすくなくとも２つ以上有し、フィンボックス４の空洞部４１を該取り付け基部１０の数に応じて有するものであって、
それぞれの取り付け基部１０に対応する空洞部４１に該取り付け基部１０を挿入してボードにフィンを取り付けることを特徴とする請求項１乃至３のいずれかに記載のサーフボードのフィン取り付け構造。
【請求項５】
取り付け基部１０の両側に設けたピン２がそれぞれ異なる取り付け基部１０に有するものであることを特徴とする請求項４に記載のサーフボードのフィン取り付け構造。
【請求項６】
請求項１乃至６のいずれかに記載のサーフボードのフィン取り付け構造を有することを特徴とするサーフボード。
【発明の詳細な説明】
【技術分野】
【０００１】
本発明は、サーフボードのフィンの取り付け構造に関し、より具体的にはサーフボードへ着脱自在にフィンを取り付けることのできる取り付け構造であって、簡単なる着脱を行えるがきっちりとした装着ができ、フィンのブレやがたつきのない装着を可能とするサーフボードのフィンの取り付け構造及びサーフボードに関する。
【背景技術】
【０００２】
従来より、サーフボードに関してフィンの取り付け構造として固定フィンタイプと着脱自在のフィンタイプの大きく分けて二通りがあった。
この場合、固定フィンタイプに比べて着脱自在のフィンタイプは、自らの好みに合わせて任意形状のフィンの取り付けを可能とするだけでなく、持ち運びに際してフィンを取り外して持ち運べることから、多用されてその取り付け構造も各種存在している。【０００３】
即ち、サーフボードのボトム面に予めフィンボックス等を埋設等によって配設した上で、該フィンボックスにフィンを着脱自在に装着するものである。
この場合、フィンの破損や運搬などに際してフィンの着脱自在の取り外しを可能とするための構造として、螺子止め構造を有しているものとして特開平６−２５５５７５（特許文献１）や特表２００１−５２０９６１（特許文献２）、特表２００２−５３０２４２（特許文献３）、特開２００３−３０６１９５（特許文献４）が存在する。【０００４】
これらはフィンボックスにフィンを 固定する際に螺子やボルトなどを用いて固着する構造からなる。
この他、フィンボックスに各種構造の溝を設け、この溝内に嵌合させて固着する構造として特開２００５−７４０２６（特許文献５）や特開２００５−１１２２０６（特許文献６）或いは特開２００６−２８０８３９（特許文献７）が存在する。【０００５】
更に、Ｃ字形クランプを用いて固着する構造として特表２００３−５２８００３（特許文献８）が存在する。
これらの他特殊な係止部材によってフィンを着脱自在に固着する構造として特表２００５−５０８７９８（特許文献９）や特表２００５−５２６６６４（特許文献１０）が存在する。
これらの他、フィンボックスと、これに嵌着するフィンとの両者において特殊形状の嵌着構造を有して着脱自在にフィンを固着する構造として特開２００７−１６０９６９（特許文献１１）が存在する。
【特許文献１】特開平６−２５５５７５
【特許文献２】特表２００１−５２０９６１
【特許文献３】特表２００２−５３０２４２
【特許文献４】特開２００３−３０６１９５
【特許文献５】特開２００５−７４０２６
【特許文献６】特開２００５−１１２２０６
【特許文献７】特開２００６−２８０８３９
【特許文献８】特表２００３−５２８００３
【特許文献９】特表２００５−５０８７９８
【特許文献１０】特表２００５−５２６６６４
【特許文献１１】特開２００７−１６０９６９
【発明の開示】
【発明が解決しようとする課題】
【０００６】
以上の様に、サーフボードのフィンに関しては各種の取り付け構造が存在している。【０００７】
係る場合まず特許文献１に示す構造は所謂螺子止めであり、螺子を螺着し又はこれを外すことによってフィンの取り外しが可能である。
したがって、ドライバーなどの特殊工具を持って始めて着脱できるものである。【０００８】
次に特許文献２や特許文献３或いは特許文献４においても、横方向から螺子止めするものであって、同様にドライバーなどの特殊工具をもって初めて取り外しができるものであり、簡単に着脱はできなかった。
特にコンディション等に合わせてフィンの付け替え等はなかなかできないものであり、特に海岸等での孔間等はできないものであった。【０００９】
更に特許文献５及び特許文献６に示す構成はフィンを溝に沿って挿入し、所定位置に固着するものであり、きっちりと外れないように装着できるものであり、簡単な着脱を可能とする。
しかし、特許文献５のピンでのはめ込みや特許文献６の凸部と嵌合溝とはどうしても隙間を有してしまうものであり、装着の容易化を図るとフィンとフィンボックス間での隙間が生ずるばかりでなくピンと溝との間にも隙間ができ、ガタつきが生じてしまう。【００１０】
特に隙間をなくすと今度は着脱に難点が生ずるものである。
即ちきっちりと密着することにより両者間の抵抗が大きく、着脱が極めて困難になってしまうという欠点を有する。
次に特許文献７に関しては、その装着は溝にはめこむものであり、溝状に沿って移動して装着するものである。
特にその装着は凹所後端面の一部がフィン基部３ 後端の回動軌跡内に進入した状態で装着するものであり、装着状態は弱いものでしかない。【００１１】
次に特許文献８に示す構成はフィンの係合手段にＣ形クランプをもってフィンボックスに固着するものであり、所謂フィンボックス内でしっかりとクランプに嵌着するものであり、このフィンの取り外しには多大な力を必要とすると共にフィンボックスの一定方向に引き抜くなどの事を行なわないとフィンの取り外しは困難である。
さらにＣ形クランプへの嵌着により装着するものであり、両者間の隙間などによりどうしてもガタつきなどが生じやすいものである。【００１２】
特許文献９は、ウォーム歯車によってカムの回動を図り、これによってフィンを固定するものであり、フィンの着脱にはウォーム歯車の回動が必要であり極めて複雑である。
特許文献１０も、タグピンをピンスロットに入れてクラブ螺子で締めるものであり、きっちりと固着するものであるが、これも複雑であると共にその着脱も複雑な工程を有する。【００１３】
更に、特許文献１１に関しては、簡単にフィンを装着できるが、その取り付け方向は斜め後ろ方向に差し込むことによって装着するものであって、特に螺子止めを必要とするものである。
従って、きっちりとした装着を可能とする反面簡単に着脱できるフィンの取り付け構造が望まれるものである。【００１４】
更にサーフボードの着脱自在のフィンは簡単に着脱できるものほどその装着の程度は簡易となりやすく、装着強度はそれほど高いものとはなりにくい。
そこで装脱着が簡単であるにもかかわらずきっちりとした強度のある装着を可能とする取り付け構造が望まれるものである。【００１５】
特に着脱自在のフィンは、どうしてもフィンボックス等との関係から、がたつきやすく、ボード―の操作にフィンがぐらつき又はがたつきやすいものであり、フィンのブレ等が生じてしまうものである。
これはボードの操作性の低下を招くものであり、何らの措置が必要とされている。
更にはこれにとどまらず不測の脱落や破損につながる恐れもあり、何らかの解決が求められている。
【課題を解決するための手段】
【００１６】
以上のよりに多大なる課題を有するが、本発明は前記課題を見事に解決するものである。
即ち本発明に係る請求項１記載の発明は、フィンに設けた取り付け基部をフィンボックスの空洞部に挿入してボードにフィンを取り付けるサーフボードのフィン取り付け構造であって、フィンボックスの空洞部はフィンの取り付け基部とほぼ同等かやや広い幅を有し、空洞部の長さ方向の長さはフィンの取り付け基部よりも長いものであり、空洞部の深さは取り付け基部の突出長さよりも長い深さを有し、該空洞部の両側面にはピン用挿入凹み部とこれに続いて、空洞部の深さ方向に続く溝部と、更に該溝部は一定の深さからフィンボックスの長さ方向であってボードの後方方向に延在する溝部を有し、フィンの取り付け基部にはその両側にピン用挿入凹み部に対応したピンを有するものであり、該フィンの取り付け基部をフィンボックスの空洞部に挿入する際にフィンのピンとフィンボックスの空洞部のピン用挿入凹み部とを合わせてフィンの取り付け基部を挿入し、更に挿入後にフィンをボードの後方方向に移動することによりフィンを着脱自在に取り付けるサーフボードのフィン取り付け構造からなり、係る発明によって前記課題を解決できる。【００１７】
又、請求項２に係る発明は、フィンの取り付け基部の両側に設けたピンが各々取り付け基部の前後方向に離れた位置に有し、フィンボックスの空洞部のピン用挿入凹み部も、フィンボックスの両側面の前後方向に離れた位置に有し、それぞれ両側のピン用挿入凹み部とピンとが対応した位置に有するサーフボードのフィン取り付け構造であって、係る発明でもよい。
更に、請求項３に係る発明は、フィンの取り付け基部の側面にプランジャを有し、空洞部への取り付け基部の挿入時に取り付け基部と空洞部間の側面とを付勢するサーフボードのフィン取り付け構造であって、係る発明でもよい。【００１８】
これらの場合、請求項４に係る発明のようにフィンの取り付け基部をすくなくとも２つ以上有し、フィンボックスの空洞部を該取り付け基部の数に対応して有するものであって、それぞれの取り付け基部に対応する空洞部に該取り付け基部を挿入してボードにフィンを取り付けるサーフボードのフィン取り付け構造でもよい。【００１９】
或いは、請求項５に係る発明のように取り付け基部の両側に設けたピンがそれぞれ異なる取り付け基部に有するサーフボードのフィン取り付け構造を用いてもよい。
更に、これらの場合に関して請求項６に係る発明のように請求項１乃至６のいずれかに記載のサーフボードのフィン取り付け構造を有するサーフボードを用いても同様に前記課題を達成できるものである。
【発明の効果】
【００２０】
以上のように構成したことからまず請求項１に係る発明によって、フィン取り付け時においてフィンの取り付け基部の両側に設けたピンとフィンボックスの空洞部の両側に設けた溝部との間でフィンをきっちりと押さえることができ、フィンの不要にブレやがたつきを防止できる。
これによりフィンの確実及びしっかりした取り付けを可能とするものである。
特に螺子等を使用しないフィンの取付に際してはどうしてもフィンのブレ等が出てしまうが、本発明によりこれらを極めて高い精度で防止できる。【００２１】
このフィンのブレやがたつきの防止はフィンの不用意な脱落や破損を招くものであるが、これらを防止できる。
更にフィンのがたつきやブレのない装着はサーフボードの操作性の向上につながるものであり、これによって操作性の向上が図れる。
又、本フィンの取り付け構造は螺子類を使用せずに取付基部の空洞部への挿入ぉ予備後方方向への移動によって達成できるものであり、取り外しも逆の手順を踏めば行えるものである。【００２２】
以上より着脱が容易であり、極めて使い勝手の良い取り付け構造を提供するものである。
次に、請求項２に係る発明によりピンの位置を前後方向に離れて設けるものであり、このピン間の距離が離れることによりフィンボックスの溝部との係合は離れた２点で行われるものであり、取り付け基部の強度のある装着を可能とする。
従って、フィンの装着がより確実かつ強度に行えるものであって、がたつきやブレを防止できる。【００２３】
又請求項３に係る発明により、プランジャを介在できるものであり、プランジャの弾圧力をもって取り付け基部を空洞部内に弾力を有した状態で装着できるものとなる。
従って、フィンの装着がより確実かつ強度に行えるものであって、がたつきやブレを防止できる。
又不用意なフィンの脱落等を防止できるものである。
次に請求項４に係る発明によって取り付け基部を複数有することができ、フィンとフィンボックスとの間で複数個所において強固に係止できるものであり、装着をより強固に行えるものである。【００２４】
更に請求項５に係る発明により、取り付け基部のピンは一の取り付け基部ではなく、異なる取り付け基部に配設できるものであり、異なる位置に有する取り付け基部にそれぞれ配設できることから、ピン同士の間を距離を有して配設でき、離れた少なくとも両側の２点間において溝部と係止できるものであり、強固な装着を可能とする。
又請求項６に係る発明によりこれらのフィンの取り付け構造を有するサーフボードの提供を可能とする。
【図面の簡単な説明】
【００２５】
【図１】本発明に係るフィンの取り付け構造のフィンの一例を示す図
【図２】本発明に係るフィンの取り付け構造のフィンの一例を示す図
【図３】図１のＡ−Ａ線断面図
【図４】本発明に係るフィンの取り付け構造のフィンボックスの一例を示す図
【図５】図４のＢ−Ｂ線断面
【図６】図４のＣ−Ｃ線断面図
【図７】本発明に係るフィンの取り付け構造のフィンの取り付け状態の一例を示す図
【図８】本発明に係るフィンの取り付け構造のフィンの他の一例を示す図
【図９】図８に示すフィンの取り付け基部の断面図の一例を示す図
【図１０】本発明に係るフィンの取り付け構造のフィンの取り付け基部の断面図の他の一例を示す図
【図１１】図８に示すフィンに対応した本発明に係るフィンの取り付け構造のフィンボックスの他の一例を示す図
【図１２】本発明に係るフィンの取り付け構造のフィンの取り付け状態の他の一例を示す図
【発明を実施するための最良の形態】
【００２６】
図1は、本発明にかかるフィンの取り付け構造を有するフィンの基本的な一例を示す図である。
本図に示すようにフィン本体１と取り付け基部１０からなり、取り付け基部１０として２つの突出部を有している。
それぞれの突出部には横方向に突起しているピン２であってそれぞれ逆の側面に設けたピン２を有する。【００２７】
更に後方に位置する取り付け基部の側面には側面方向にボール部３１を突出して配設したプランジャ３を有する。
前記フィンの取り付け基部１０に設けたピン２の配設面の反対面にこのプランジャ３を配設している。
従って、このフィンの取り付け基部１０をフィンボックス４内に挿入することによりフィンを取り付けるが、この際にプランジャ３によってフィン取り付け基部１０のピン２配設方向に付勢されて、弾力をもってピン２がフィンボックス４内で係止部分に係合することとなる。【００２８】
尚、前方に位置する取り付け基部１０にはピン２のみ有しており、プランジャ３は有していない。
更にそれぞれの取り付け基部１０へのピン２の配設は、各々のピンは逆面に配設されている。
これによりフィンの両側面においてフィンボックス４の係止部分に両面で係合することとなる。【００２９】
図２は、フィンの取り付け基部１０へのピン２及びプランジャ３の配設状態の一例を示す図である。
前方に位置する取り付け基部１０の側面の一面方向にピン２を有し、後方の位置する取り付け基部１０には逆である反対面にピン２を有しており、更に後方に位置する取り付け基部１０のピン２を有する側面の反対面にはプランジャ３を有しており、プランジャ３のボール部３１が突出状態で配置されている。【００３０】
尚、ピン２の配設位置はそれぞれ取り付け基部１０の前方方向にあり、プランジャ３は取り付け基部１０の後方方向に配設するものである。
但し、少なくとも二つのピン２はそれぞれ前後方向に離れた位置に配設されてあり、ボードの前方方向と後方方向に距離を置いてそれぞれの面に配設されているものである。
更に図３は、図１のＡ‐Ａ線断面図であり、プランジャ３の断面を示す図である。【００３１】
プランジャ３にはコイルバネ３２によって付勢されたボール部３１を有しているものである。
尚、プランジャ３の構成は一例であり、少なくともフィンの取り付け基部１０をプランジャにより一方向に付勢されているものであればよい。
又プランジャ３は一の取り付け基部１０のみに有している一例を示すが双方の取り付け基部１０に配設するものであってももちろんよい。
もとより複数有するものでもよい。【００３２】
この場合、それぞれ他方向に付勢するものの他、同方向に付勢するものであってもよい。
又取り付け基部１０は２つの突出部をもって構成した一例を示すが、この他、一の取り付け基部１０を有し、前後方向に位置をずらせてピン２を両側面に突出配設したものであってもよい。
或いは２つよりも多くの取り付け基部１０即ち３つ以上の取り付け基部１０を有するものであってももちろんよい。
この場合にも前後方向に位置をずらして両側面にそれぞれピン２を有するものであればよい。【００３３】
特にいずれか取り付け基部１０に配設すればよく、特定の取り付け基部１０に限定されるものではない。  又、ピン２は２つ以上あればよいものであり、３つ或いは４つ有するものであってもよい。
尚、両側方向にピン２を有することとなることから、両側から支えられて装着時によりきっちりとした装着ができると共にフィンの左右方向即ち両側方向へのブレ等がなくなり、きっちりとした装着が可能となる。
これはフィンの確実なる装着の他、フィンのぶれに伴い操作性の低下を防時手切ることとなる。【００３４】
図４は、本発明に係るフィンの取り付け構造のフィンボックス４の一例を示す図であり、特に取り付け基部１０が２つあるフィンに対応した一例を示す図である。
フィンボックス４にはフィンの２つの取り付け基部１０よりも長手方向である前後方向に対してより長い長さの空洞部４１を有しており、この空洞部４１内に取り付け基部１０を挿入の上、一方方向に移動できるだけの長さを有する空洞部４１からなる。【００３５】
更に該空洞部４１の幅は、フィンの取り付け基部１０の幅と同等或いは若干広い程度の幅を有するものであり両者はほぼ一致するものである。
従って空洞部４１内に取り付け基部１０を挿入した場合には幅方向においてほぼきっちり接して挿入できるものであり、少なくとも前後方向への移動が可能な程度の密着を有する。
更にフィンの取り付け基部１０に設けたプランジャ３によって、挿入時には一方方向に付勢され、ほぼぐらつくことがなく、かつ挿入状態できっちりと付勢されて装着できるものである。【００３６】
又、空洞部４１は少なくともフィンの取り付け基部１０の突出長さかこの長さよりも長い長さの奥行きである深さを有する。
少なくとも取り付け基部１０をきっちりと挿入できる深さである奥行きを有する。
更にフィンボックス４には空洞部４１に更にピン用挿入凹み部４３である溝部４４を有し、その溝部４４は更に奥方向に続くものである。【００３７】
これによってフィンの取り付け基部１０のピン２に対応した凹みからなる溝部４４を構成できるものであり、空洞部４１内にフィンの取り付け基部１０を挿入するに際してピン２の突起に対応した凹みからなる溝部４４となり取り付け基部１０の確実なる挿入及び挿入位置決めが可能となる。
このピン用挿入凹み部４３は当初奥行き方向に沿ってそのへこみを有するが、一定の深さになった段階で今度は後方方向に延在して構成されているものである。【００３８】
従って取り付け基部１０に設けたピン２に対応して設けられたこのピン用挿入凹み部４３により、まず取り付け基部１０を空洞部４１内に挿入することができ、更にその奥行き方向に溝部４４を有し、取り付け基部１０を挿入した後、該取り付け基部１０を奥方向に入れた後に、更には後方方向であるボードの進行方向の逆方向にフィンを移動するものであり、その移動方向に沿って溝部４４有するものである。【００３９】
従ってピン２により溝部４４に沿って後方方向であるボードの進行方向と逆方向に取り付け基部１０を移動でき、更にプランジャ３の付勢によってきっちりとしたフィンの取り付け基部１０の装着を行えるものとなってフィンをきっちりと装着できるものである。【００４０】
特に後方方向に移動することにより装着するのはボードの進行方向である前方から後方に対して水の抵抗をフィンが受けるものであり、フィン装着時においてサーフィン中は前方から水によって付勢されるものであり、その方向で装着されるものであることから不用意なフィンのはずれ等がなく、安全に使用できるものとなる。【００４１】
この場合、更に装着しているフィンを取り外す場合にはフィンを後方から前方方向に押すことによって移動すれば、フィンが前方方向に移動するものであってピン２によりピン用挿入凹み部４３に続く溝部４４にそって移動するものであり、装着位置に戻せ、フィンの取り外しができる。
又プランジャ３によって付勢されているが、フィンを後方に押す力によってボール部３１がコイルバネ３２方向に押し込まれてフィンの移動が可能となる。【００４２】
以上のように構成することによりフィンの着脱は極めて簡単に行える反面その装着はきっちりとしっかり外れずにできるものであり、装着強度の高い装着を可能とする。
更に装着によりフィンが左右にぶれることがなくきっちりと装着ができるものである。
即ち装着したフィンが両側側方向にぶれたりがたついたりすること等は全く起きず、きっちりと固定した装着が行えるものである。
このぶれはボードの操作性の向上を図れるものともなると共にフィンの脱落や破損を防止できる。【００４３】
図５及び図６は、フィンボックスの断面図であり、図５は、図４のＢ‐Ｂ線断面図であり、図６は図４のＣ‐Ｃ線断面図である。
本図に示すように一側面方向のフィンボックス内の空洞部４１の側面にはピン用挿入凹み部４３を有し、更にこの溝部４４は開口部から底方向である深さ方向にむけて延在し、一定の深さまで行った後更にボードの後方方向に延在して構成されている。【００４４】
図７は、フィンの装着状態の一例を示す図であり、まずフィンのそれぞれの取り付け基部１０をフィンボックス４の空洞部４１に挿入するが、まずフィンの取り付け基部１０のピン２の位置をピン用挿入凹み部４３に合わせて挿入するものであり、位置合わせを確実に行えるものである。
従って該ピン２の位置を合わせて取り付け基部１０をフィンボックス４の空洞部４１内に挿入する。【００４５】
更に挿入して、奥まで入った段階で今度はボードの後方方向にフィンを移動させる。
この段階においてピン用挿入凹み部４３に続き溝部４４はフィンボックス４の空洞部４１の側面に設けられており、開口部から奥方向に溝部４４を有し、一定の奥方向にまで該方向にむけて溝部４４を有しており、この一定の奥までいった後に今度はボートとほぼ水平或いはフィンボックスに沿ってボードの進行方向と逆であるボードの後方方向に延材した溝部４４を有するものである。【００４６】
従って、この溝部４４に嵌合しているピン２により該溝部４４にそってボード後方方向にフィンが移動し、きっちりと装着されるものである。
特にフィンはサーフィン中に前方から水の抵抗を受けるものであり、後方方向に向けて力が掛かるが、その方向できっちりと装着していることから、サーフィン中に不用意にフィンが外れるようなことは全くないものである。
尚、溝部が任意位置まで続き一定の時点で終点としてもよく、この位置までピン２が溝部４４に沿って進み、その終点近郊で装着となるものでもよい。【００４７】
尚、フィン１をフィンボックス４に装着する流れを示すが、逆の手順で進めることにより簡単にフィンを外すことができる。
又本図上、装着状態を示す図であり、プランジャ３は省略している。
更に、本図は取り付け基部１０とフィンボックスの空洞部４１はそれぞれ２つずつであるが、これに限らず３つずつ、或いはこれ以上有するものであってもよい。【００４８】
この場合、取り付け基部１０の数に応じたフィンボックスの空洞部４１の数を有すればよいものであり、例えば同数である場合の他、空洞部４１をより多数有し、任意の空洞部４１に取り付け基部を装着するものであってもよい。
この様に取り付け基部１０を取り付けられる数の取り付け基部に応ずる個数の空洞部４１を有するものであってもよい。【００４９】
図８は、本発明に係るフィンの取り付け構造の他の一例を示す図であり、特にフィンに関して１の取り付け基部１０を有する一例を示す図である。
本図に示すようにフィンの取り付け基部１０の両側面にそれぞれピン２を有しているものであり、少なくともそれぞれの側面のピン２は異なる端部方向に配設されている。【００５０】
即ち、少なくとも両側のピン２は同一即ち同様の位置の両側面にあるのではなく、例えば一方のピン２が取り付け基部１０の一の端部方向に配設されている場合には、その裏面のピン２は前後方向で位置を離れて配置されているものであり、例えば取り付け基部１０の他の端部方向に配設されているものである。【００５１】
これにより両側面方向から溝部４４に装着できるものであり、両側からきっちりと押さえた状態で装着できると共にフィンのブレ等を防止できる。
更にプランジャ３を有する。
これにより弾圧装着を可能とする。【００５２】
図９は、図８に示すフィンの断面図であり、特にプランジャ３の位置における断面図である。
本図に示すようにフィン１の両側方向にそれぞれ前後方向に分かれてピン２を有し、更に一側面にコイルバネ３２で付勢されたボール部３１を有するプランジャ３を有する。【００５３】
図１０は、更に両側方向にプランジャ３を配設した一例を示す。
本図に示すように両側方向にプランジャ３を有し、プランジャ３のボール部３１でフィンボックス４の空洞部４１内のフィンの取り付け基部１０が両側方向から付勢されているものであってもよい。【００５４】
図１１は、図８に示すフィンの取り付け用のフィンボックス４の他の一例を示す図である。
図８に示すフィンは取り付け基部１０がひとつであり、これに対応したフィンボックス４の一例である。
従って、フィンボックス４の両側にはピン用挿入凹み部４３を有し、これに続く溝部４４はフィンボックス４の底部である奥方向に延在して有すると共に丁度フィン１の取り付け基部１０のピン２の位置と一致する位置、即ち取り付け基部１０を空洞部４１内に挿入した段階で丁度取り付け基部１０がきっちり装着する位置におけるピン２の位置に対応した位置まで開口部から深さ方向へ溝部４４を有する。【００５５】
更にこの溝部４４は、更にボードの後方方向にボード或いはフィンボックス４の長さ方向に沿って後方方向に溝部が続くものである。
この場合任意位置まで溝部４４を有すればよい。【００５６】
図１２は、図８に示すフィン１を図１１に示すフィンボックス４に装着する一例を示す図である。
本図に示すように、フィンボックス４の空洞部４１内にフィンの取り付け基部１０を挿入する。
もとよりこのフィンボックス４の空洞部４１の長さは少なくともフィン１の取り付け基部１０よりも長いものであり、又フィンボックス４の空洞部４１の幅はフィン１の取り付け基部１０の幅とほぼ同じかこれよりも若干広いものであればよい。【００５７】
又奥行きである底部までの深さは少なくともフィン１の取り付け基部１０の突出長さよりも深いものであればよい。
この様なフィンボックス４の空洞部４１にフィン１の取り付け基部１０をー挿入するが、取り付け基部１０のピン２を空洞部４１のピン用挿入凹み部４３に合わせて挿入する。【００５８】
更にフィン１の取り付け基部１０をきっちり挿入した後、更にフィン１をボードの後方方向に移動させる。
この場合空洞部４１内のピン用挿入凹み部４３に続く溝部４４に沿って取り付け基部１０が移動できるものであり、例えばこの溝部４４の終点でピン２が止まり、きっちりとフィンの装着ができるものであってもよい。【００５９】
ピン２は両側で溝部４４に嵌入しているものであり、両側からきっちりと取り付け基部１０を支えると共にプランジャ３によって弾圧装着されていることから、きっちりとした装着ができると共にフィンのブレやがたつきをきっちりと押さえることができる。
尚、本図においても着脱の状態を示すための図であり、プランジャ３は図示せずに省略した状態で示しているものである。
【符号の説明】
【００６０】
１  フィン
１０  取り付け基部
２  ピン
３  プランジャ
３１  ボール部
３２  コイルバネ
４  フィンボックス
４１  空洞部
４３  ピン用挿入凹み部
４４  溝部
【図１】
2013121583.tif 000003
【図２】
2013121583.tif 000004
【図３】
2013121583.tif 000005
【図４】
2013121583.tif 000006
【図５】
2013121583.tif 000007
【図６】
2013121583.tif 000008
【図７】
2013121583.tif 000009
【図８】
2013121583.tif 000010
【図９】
2013121583.tif 000011
【図１０】
2013121583.tif 000012
【図１１】
2013121583.tif 000013
【図１２】
2013121583.tif 000014
【国際調査報告】
2013121583.tif 000015
2013121583.tif 000016